(57)【特許請求の範囲】
【請求項１】
先端部に向かって先細り形状になった挿入部を有する雄型金具と、該雄型金具の前記挿入部が挿脱可能な挿入孔を有する雌型金具とからなる装身具用留め具であって、
前記雄型金具が、
前記挿入部の後端につまみ部を有し、前記挿入部の前記先端部が一体であって、他の部分が前記つまみ部から前記先端部に向かう方向に沿う楔状の間隙を介して対向し、前記先端部を支点として互いに接近及び離間可能なバネ性を有する第１の部分と第２の部分とからなり、その第２の部分の前記挿入部の後端部付近の外周側に前記雌型金具の挿入孔の周縁部と係合する係合段部が設けられ、
前記挿入部の前記第１の部分と第２の部分の互いに対向する面の一方の面に、他方の面に向かって膨出する膨出部が、前記挿入部の長手方向の中央よりも前記先端部寄りの位置に設けられ、
前記雌型金具が、
少なくとも前記挿入孔とその周縁部の内側に空洞を有すると共に、前記挿入孔と該空洞を介して対向する内部に、前記雄型金具の前記挿入部の挿入をガイドしてその挿入位置を保持するガイド部を有することを特徴とする装身具用留め具。
【請求項２】
前記雌型金具の前記ガイド部が、
前記挿入孔に対向する開口を有する内周凹面によるガイド面を形成し、該ガイド面が前記開口に向かって拡開していることを特徴とする請求項１に記載の装身具用留め具。
【請求項３】
前記雄型金具の前記第１の部分と第２の部分のうち少なくとも前記第２の部分に、前記挿入部の長手方向に沿う細長い開口を１本又は複数本形成したことを特徴とする請求項１又は２に記載の装身具用留め具。
【請求項４】
前記雄型金具の前記つまみ部が、前記挿入部の前記第１の部分と一体のつまみ半部と前記第２の部分と一体のつまみ半部とからなり、その各つまみ半部の後端面が楕円を長径に沿って２分割した半楕円形状であり、その分割面が前記間隙を介して対向していることを特徴とする請求項１乃至３のいずれか一項に記載の装身具用留め具。
【請求項５】
前記雄型金具の前記挿入部の前記第１の部分と第２の部分のそれぞれ挿入方向に直交する方向の断面形状が半円形であり、前記雌型金具の前記挿入孔の内周が円形であることを特徴とする請求項１乃至４のいずれか一項に記載の装身具用留め具。
【発明の詳細な説明】
【技術分野】
【０００１】
この発明は、真珠や珊瑚、宝石などの宝玉にワイヤを挿通して多数個連接してなる数珠状の装身具、あるいは金、銀、プラチナ等の貴金属製の鎖状の装身具、例えばネックレスやブレスレットなどにおいて、その両端を連結して無端状にするための装身具用留め具に関する。
【背景技術】
【０００２】
一般に、ネックレスやブレスレット等の数珠状あるいは鎖状の装身具は、無端状にして首や腕に装着されるが、着脱の度にその両端を連結したり離間させたりしなければならない。そのため、その着脱を容易かつ確実に行えて、且つ不用意に離脱することがないようにするために、種々の留め具あるいは連結具が使用されている。
その多くは、挿入孔を有する雌型金具とその挿入孔に挿脱可能な挿入部を有する雄型金具との組み合わせからなるピン挿脱タイプのものであった。
【０００３】
例えば、特許文献１には、ピン挿脱タイプの装身具用留め具において、雌型金具に相当する装飾部材の差込孔に雄型金具に相当する差込部材を差し込むと、その差込部材に形成されている溝（被係合溝）に装飾部材の内部に設けられた凸状の係合部が係合して、両者を連結して抜け止めする構成が開示されている。
【先行技術文献】
【特許文献】
【０００４】
【特許文献１】特開２００５−２３７７７３号公報
【発明の概要】
【発明が解決しようとする課題】
【０００５】
しかしながら、このような装身具用留め具では、雌型金具に相当する装飾部材の内部に抜け止め用の係合部を設けるために、係合部とそれによる差込部材との係合状態を解除するための操作部とを有する可動部材と、その可動部材を付勢するスプリング及び可動部材のガイド筒などを、差込部材の挿入方向と直交する方向に挿入して組み付ける必要があった。
【０００６】
そのため、雌型金具の部品点数が多く、構造が複雑で加工及び組み付け工数も多くなり、製造コストが高くなるという問題があった。また、雌型金具である装飾部材内に複数の部品を収納して組み付けるため、装飾部材の形状が限定されるという問題もあった。
【０００７】
この発明は、このような問題を解決するためになされたものであり、ネックレスやブレスレット等の装身具用の留め具として、雌型金具と雄型金具の着脱が容易で且つ不用意に離脱する恐れがなく、しかも構造が簡単で鋳造（キャスティング）によって安価に製造でき、形状の自由度が高い装身具用留め具を提供することを目的とする。
【課題を解決するための手段】
【０００８】
上記の目的を達成するため、この発明による装身具用留め具は、先端部に向かって先細り形状になった挿入部を有する雄型金具と、その雄型金具の上記挿入部が挿脱可能な挿入孔を有する雌型金具とからなる。
そして、上記雄型金具は、上記挿入部の後端につまみ部を有し、上記挿入部の上記先端部が一体であって、他の部分が上記つまみ部から先端部に向かう方向に沿う楔状の間隙を介して対向し、上記先端部を支点として互いに接近及び離間可能なバネ性を有する第１の部分と第２の部分とからなり、その第２の部分の上記挿入部の後端部付近の外周側に上記雌型金具の挿入孔の周縁部と係合する係合段部が設けられている。
また、上記雄型金具には、上記挿入部の上記第１の部分と第２の部分の互いに対向する面の一方の面に、他方の面に向かって膨出する膨出部を、上記挿入部の長手方向の中央よりも上記先端部寄りの位置に設けられている。
さらに、上記雌型金具は、少なくとも上記挿入孔とその周縁部の内側に空洞を有すると共に、上記挿入孔とその空洞を介して対向する内部に、上記雄型金具の上記挿入部の挿入をガイドしてその挿入位置を保持するガイド部を有する。
【０００９】
また、上記雌型金具の上記ガイド部が、上記挿入孔に対向する開口を有する内周凹面によるガイド面を形成し、そのガイド面が上記開口に向かって拡開しているとよい。
【００１０】
また、上記雄型金具の上記第１の部分と第２の部分のうち少なくとも上記第２の部分に、上記挿入部の長手方向に沿う細長い開口を１本又は複数本形成するとよい。
上記雄型金具のつまみ部が、上記挿入部の第１の部分と一体のつまみ半部と第２の部分と一体のつまみ半部とからなり、その各つまみ半部の後端面が楕円を長径に沿って２分割した半楕円形状であり、その分割面が上記間隙を介して対向するようにするとよい。
上記雄型金具の挿入部の第１の部分と第２の部分のそれぞれ挿入方向に直交する方向の断面形状が半円形であり、上記雌型金具の挿入孔の内周が円形であるのが望ましい。
【発明の効果】
【００１１】
このように構成したこの発明による装身具用留め具は、雌型金具と雄型金具の着脱が容易で且つ不用意に離脱する恐れがなく、しかも構造が簡単で鋳造によって安価に製造でき、形状の自由度が高いので、特に雌型金具を任意の形状に形成することができる。
【図面の簡単な説明】
【００１２】
【図１】この発明による装身具用留め具の第１実施例の雄型金具と雌型金具の連結状態を、雌型金具だけを連結方向に沿う断面にして連結方向に直交する方向から見た側面図である。
【図２】図１における雄型金具のみを自由状態で示す側面図である。
【図３】同じくその雄型金具の第１の部分と第２の部分が接近した状態を示す側面図である。
【図４】図３のＹ−Ｙ線に沿う断面図である。
【図５】同じくその雄型金具の平面図である。
【００１３】
【図６】図１における雌型金具の外観を示す斜視図である。
【図７】同じくその雌型金具の平面図である。
【図８】図７のＸ−Ｘ線に沿う断面図である。
【図９】図８に示した雌型金具に雄型金具を挿入して連結する際の状態を段階的に示す工程図である。
【図１０】この発明による装身具用留め具の第２実施例における雄型金具の自由状態を示す側面図である。
【図１１】同じくその雄型金具の第１の部分と第２の部分が接近した状態を示す図３と同様な側面図である。
【図１２】この発明による装身具用留め具の第２実施例による雌型金具と雄型金具の連結状態を示す図１と同様な側面図である。
【００１４】
【図１３】第１、第２実施例に共通に適用できる雄型金具の好ましい変形例を示す平面図である。
【図１４】この発明による装身具用留め具における雄型金具のより好ましい実施例を示す側面図である。
【図１５】同じくその雄型金具の平面図である。
【図１６】同じくその雄型金具を図１４における右方から見た図である。
【図１７】図１４から図１６に示した雄型金具の弾性力を説明するための図である。
【図１８】つまみ部の端面形状が円形である場合のつまみ操作の説明図である。
【図１９】つまみ部の端面形状が楕円形である場合のつまみ操作の説明図である。
【００１５】
【図２０】つまみ部の外周面の軸方向形状が単一の凸曲面である場合の雄型金具の引き抜き操作の説明図である。
【図２１】第１、第２実施例のつまみ部を有する雄型金具の引き抜き操作の説明図である。
【図２２】図１４から図１６に示した雄型金具の引き抜き操作の説明図である。
【図２３】この発明による装身具用留め具における雌型金具の他の例を示す図８と同様な断面図である。
【図２４】この発明による装身具用留め具における雌型金具のさらに他の例を示す図８と同様な断面図である。
【図２５】この発明による装身具用留め具によって真珠のネックレスの両端を連結させた状態の一例を示す斜視図である。
【発明を実施するための形態】
【００１６】
以下、この発明の好ましい実施形態を図面を参照しながら説明する。
〔第１実施例〕
まず、この発明による装身具用留め具の第１実施例を図１〜図９によって説明する。
図１は、この発明による装身具用留め具の第１実施例の雄型金具と雌型金具の連結状態を、雌型金具だけを連結方向に沿う断面にして連結方向に直交する方向から見た側面図である。図２〜図５はその雄型金具を説明するための図であり、図６〜図８は雌型金具を説明するための図である。そして、図９は、雌型金具に雄型金具を挿入して連結する際の状態を段階的に示す工程図である。
【００１７】
この第１実施例の装身具用留め具は図１に示すように、先端部１１ａに向かって先細り形状になった挿入部１１を有する雄型金具１０と、その雄型金具１０の挿入部１１が挿脱可能な挿入孔２１を有する雌型金具２０とからなる。
その雄型金具１０は、図２〜図５にも明示するように、挿入部１１の後端につまみ部１２を有し、挿入部１１の先端部１１ａが一体であって、他の部分がつまみ部１２から先端部１１ａに向かう方向に沿う楔状の間隙１４を介して対向し、先端部１１ａを支点として互いに接近及び離間可能なバネ性を有する第１の部分１１ｂと第２の部分１１ｃとからなる。
【００１８】
そのため、つまみ部１２は、第１の部分１１ｂの後端部に一体のつまみ半部１２ａと第２の部分１１ｃの後端部に一体のつまみ半部１２ｂとに分割されている。そして、つまみ半部１２ａの後端部のつまみ半部１２ｂに近い側にリング状の係着部１３を一体に設けており、つまみ半部１２ｂには係着部１３の一部が入り込める逃げ溝１２ｃ（図２及び図３に破線で示す）を形成している。係着部１３には、多数の宝玉を連接するためのワイヤや紐あるいは鎖等を係着する。
また、第２の部分１１ｃの挿入部１１の後端部付近の外周側に、図１に示すように雌型金具２０の挿入孔２１の周縁部と係合する係合段部１１ｄが設けられている。
【００１９】
一方、雌型金具２０は図１及び図８に示すように、少なくとも挿入孔２１とその周縁部の内側に空洞２２を有する中空球形の本体２０ａ内に、挿入孔２１とその空洞２２を介して対向するように、雄型金具１０の挿入部１１の挿入をガイドしてその挿入位置を保持する円筒状のガイド部２３を設けている。
【００２０】
この実施例における雌型金具２０は、図６及び図７にも示すように金属によって中空球形の本体２０ａと円筒状のガイド部２３とが一体に形成され、その本体２０ａの一部に内周が円形の挿入孔２１が設けられている。その挿入孔２１の内径は、図１に示すように雄型金具１０を挿入孔２１に完全に挿入したときに、第１の部分１１ｂの後端部外周面Ｓ１と第２の部分１１ｃの係合段部１１ｄの低段面Ｓ２との距離Ｄ（図４に示す）に等しくなるように形成している。
【００２１】
雌型金具２０の内部の挿入孔２１と同軸線上で対向する位置に、図１及び図８に示すように円筒状のガイド部２３を設けている。そして、そのガイド部２３に、挿入孔２１に対向する開口２３ａを有する内周凹面（この例では円錐面）によるガイド面２３ｂを形成しており、そのガイド面２３ｂが開口２３ａに向かってラッパ状に拡開している。
さらに、この雌型金具２０の挿入孔２１と反対側の外部に、リング状の係着部２４を設けている。この係着部２４には、雄型金具１０の係着部１３と同様に、多数の宝玉を連接するためのワイヤや紐あるいは鎖等を係着する。
【００２２】
ところで、雄型金具１０の挿入部１１はバネ性を有しているので、自由状態では図２に示すように第１の部分１１ｂと第２の部分１１ｃとが互いに離間して楔状の間隙１４が広くなっている（これを開いた状態とも称す）。
【００２３】
この雄型金具１０の挿入部１１を雌型金具２０の挿入孔２１に挿入する過程で、第１の部分１１ｂと第２の部分１１ｃの外周面が挿入孔２１の内周面に押圧されたとき、あるいはこの雄型金具１０を雌型金具２０から引き抜くために、つまみ半部１２ａ、１２ｂをつまんで互いに近づける方向に力を加えると、図３に示すように第１の部分１１ｂと第２の部分１１ｃとが先端部１１ａを支点として互いに接近するように撓んで、楔状の間隙１４が狭くなる（この状態を閉じた状態とも称す）。
【００２４】
この雄型金具１０の挿入部１１は、第１の部分１１ｂと第２の部分１１ｃのそれぞれ挿入方向に直交する方向の断面形状（図４に示す外周形状）が半円形である。そのため、挿入部１１全体として略円形断面の先細り形状となるので、雌型金具２０の円形の挿入孔２１に、周方向の角度を選ばずに挿入できる。
【００２５】
この雄型金具１０の挿入部１１の第１の部分１１ｂには、雌型金具２０の挿入孔２１の周縁部と係合する係合段部は設けない。しかし、この実施例では第１の部分１１ｂの後端部に、図４に明示するように第２の部分１１ｃに近い外周部の両側を、第２の部分１１ｃに近付いたり離れたりする方向に平行に面取りしたように切り欠いた切欠部１１ｅを設けている。
【００２６】
これによって、図１に示したように雌型金具２０に雄型金具１０を挿入して連結させた状態において、挿入部１１の第１の部分１１ｂの切欠部１１ｅが第２の部分１１ｃの係合段部１１ｄとの間でスロープを形成するので、雄型金具１０を雌型金具２０の挿入孔２１内でスムーズに回転させることが可能になる。
【００２７】
この第１の部分１１ｂの切欠部１１ｅは第２の部分１１ｃの係合段部１１ｄと、図２の側面図で長手方向の長さが略一致しており、かつ図４の断面図に示すように、幅方向における係合段部１１ｄの両側にできる段差と、切欠部１１ｅによって第１の部分１１ｂの両側にできた段差とが略一致している。
【００２８】
また、雄型金具１０のつまみ部１２は、つまみ易いように挿入部１１の後端部の径よりも十分大きい径を有し、外周面を２段の凸面に形成した円板を２分割した形状にしているが、これに限るものではなく、楕円形状や多面体等の指でつまみ易く見栄えのよい任意の形状や大きさにしてもよい。
【００２９】
次に、この第１実施例の装身具用留め具による雄型金具１０と雌型金具２０を連結及び離脱する際の動作を、図９によって説明する。図９は、図８に示した雌型金具２０に雄型金具１０を挿入して連結する際の状態を段階的に示す工程図である。
【００３０】
まず、一方の手の指で雌型金具２０を保持し、他方の手の指で雄型金具１０のつまみ部１２をつまんで、挿入部１１の先端部１１ａで雌型金具２０の挿入孔２１を探り当て、図９の（ａ）に示すように、雄型金具１０の挿入部１１を雌型金具２０の挿入孔２１に挿入する。挿入部１１は先端部１１ａに向かって細くなっているので、挿入孔２１に容易に挿入できる。
【００３１】
その際、挿入部１１の挿入方向が挿入孔２１の中心軸線に対して多少傾いていても、その先端部１１ａが雌型金具２０のガイド部２３に当接すると、図９の（ｂ）に示すように、挿入部１１はそのガイド面２３ｂに先端部１１ａがガイドされて傾きが矯正されながら挿入される。その挿入途中から、挿入部１１の第１の部分１１ｂと第２の部分１１ｃは、外周面が雌型金具２０の挿入孔２１の内周面によって押圧され、閉じた状態になってくる。そして、挿入部１１を係合段部１１ｄの直前まで雌型金具２０内に押し込んだときに、第１の部分１１ｂと第２の部分１１ｃが最も閉じた状態になる。
【００３２】
その後、さらにつまみ部１２が雌型金具２０の外面に当接するまで挿入部１１を押し込むと、図９の（ｃ）に示すように、雌型金具２０の挿入孔２１の周縁部の一部が挿入部１１の第２の部分１１ｃの係合段部１１ｄに嵌り込み、第１の部分１１ｂと第２の部分１１ｃはそのバネ性による復元力で開き、挿入孔２１内に収まる範囲で開いた状態に戻る。
この状態で、雌型金具２０の挿入部１１の先端部付近の外周面と、雌型金具２０のガイド部２３のガイド面２３ｂとの間に殆ど隙間がないようにするのが望ましい。
【００３３】
この状態（図１と同じ状態）では、雄型金具１０の挿入部１１はその先端部１１ａに近い部分が雌型金具２０のガイド部２３内に嵌入して保持される。そして、挿入部１１のつまみ部１２側の端部は挿入孔２１の内周面に押圧しているので、その位置がしっかりと固定され、係合段部１１ｄが雌型金具２０の挿入孔２１の周縁部と係合して抜け止めされる。したがって、雄型金具１０と雌型金具２０が確実に連結されてロックされ、両者の間に雄型金具１０を引き抜く方向の力が加わったとしても、雄型金具１０が雌型金具２０から抜けることはない。
【００３４】
この雄型金具１０と雌型金具２０の連結を解除する場合には、図９の（ｃ）の状態で、一方の手の指で雌型金具２０を保持し、他方の手の指で雄型金具１０のつまみ部１２のつまみ半部１２ａ，１２ｂをつまんで互いに接近させるように力を加えながら、引っ張ればよい。それによって、先ず雄型金具１０の挿入部１１の第１の部分１１ｂと第２の部分１１ｃとが閉じるように撓んで、第２の部分１１ｃの係合段部１１ｄと雌型金具２０の挿入孔２１の周縁部との係合が外れる。その後、図９の（ｂ），（ａ）に示すような状態を経て、雄型金具１０が雌型金具２０から完全に離脱する。
【００３５】
なお、雄型金具１０のつまみ部１２をつまんで引き抜き易いように、雌型金具２０に対して雄型金具１０を前述したように相対回転させることができる。
また、雄型金具１０の挿入部１１における第１の部分１１ｂの後端部外周側にも、第２の部分１１ｃの係合段部１１ｄと同様な係合段部を形成すれば、連結状態における雌型金具２０に対する雄型金具１０の抜け止めは一層確実になる。
【００３６】
しかし、そのようにすると、雄型金具１０と雌型金具２０の連結を解除する際に、雄型金具１０のつまみ部１２のつまみ半部１２ａ，１２ｂを押圧するようにつまんで引き抜こうとしても、第１の部分１１ｂと第２の部分１１ｃのいずれかの係合段部が、雌型金具２０の挿入孔２１の周縁部と係合したままになり易く、容易に引き抜くことができなくなる。
【００３７】
そのため、第１、第２の部分１１ｂ、１１ｃの一方（この実施例では第２の部分１１ｃ）のみに係合段部１１ｄを形成している。この場合、雌型金具２０に対して挿入された雄型金具１０が傾いたりぶれたりすると、係合段部１１ｄと雌型金具２０の挿入孔２１の周縁部との係合が外れて、雄型金具１０が抜けてしまう恐れがある。しかし、この実施例では、雄型金具１０の挿入部１１の先端部１１ａ付近が、雌型金具２０のガイド部２３に嵌入して確実に保持されているので、雄型金具１０が雌型金具２０に連結した状態で、傾いたりぶれたりすることはない。したがって、雄型金具１０が不用意に抜けるようなことは起こらない。
【００３８】
〔第２実施例〕
次に、この発明による装身具用留め具の第２実施例を、図１０から図１２によって説明する。図１０及び図１１はその第２実施例における雄型金具の開いた状態（自由状態）と閉じた状態を示す、第１実施例における図２及び図３と同様な側面図である。図１２は、その第２実施例による雌型金具と雄型金具の連結状態を示す図１と同様な側面図である。
これらの各図において、図１〜図９と対応する部分には同一の符号を付しており、それらの説明は省略する。
【００３９】
この第２実施例において、前述した第１実施例と相違するのは、雄型金具１０が、挿入部１１の第２の部分１１ｃの第１の部分１１ｂと対向する面に、他方の面に向かって曲面状に膨らんだ膨出部１１ｆを、挿入部１１の長手方向の中央よりも先端部１１ａ寄りの位置に設けている点だけである。雄型金具１０が図１０に示す開いた状態（自由状態）では、膨出部１１ｆの頂面が第１の部分１１ｂの対向面から僅かに離れている。
この第２実施例も雌型金具２０は第１実施例の雌型金具２０と同じである。
【００４０】
この膨出部１１ｆを設けたことにより、雄型金具１０を図１０に示す開いた状態から、つまみ部１２のつまみ半部１２ａ，１２ｂをつまんで、図１１に示す閉じた状態にする際、はじめは第１の部分１１ｂと第２の部分１１ｃとが先端部１１ａを支点として撓んで接近するが、膨出部１１ｆが第１の部分１１ｂの対向面に当接した後は、その当接点に撓みの支点が移動する。そのため、第１の部分１１ｂと第２の部分１１ｃとを閉じるように撓ませるのに、より大きな力が必要になる。
【００４１】
そのため、バネ強度が高まって長期間使用しても復元力が弱まることがなくなり、図１２に示すように雄型金具１０と雌型金具２０が連結した状態で、雄型金具１０のつまみ部１２に不用意な力が加わったとしても、挿入部１１の第１の部分１１ｂと第２の部分１１ｃが閉じるように撓んで抜けるようなことを、一層確実に防ぐことができる。
【００４２】
膨出部１１ｆは、挿入部１１の第１の部分１１ｂと第２の部分１１ｃの互いに対向する面の一方の面に設ければよいので、第１の部分１１ｂの第２の部分１１ｃと対向する面に設けてもよい。この膨出部１１ｆの位置や高さは適宜調整するとよい。
その他の構成および作用は、前述した第１実施例と同様であるから、説明を省略する。
【００４３】
〔雄型金具の好ましい変形例〕
次に、上述した第１、第２実施例に共通に適用できる雄型金具の好ましい変形例について説明する。
図１３は、雄型金具の変更例を示す図５と同様な平面図であり、図５と対応する部分には同一の符号を付してあり、それらの説明は省略する。なお、雌型金具は前述した各実施例の雌型金具２０を共通に使用できる。
【００４４】
この図１３に示す雄型金具１０′において、前述した各実施例における雄型金具１０と異なるのは、挿入部１１の第２の部分１１ｃに長手方向に沿う細長い開口１１ｇを形成した点だけである。この例では、挿入部１１の幅方向の中央部１１ｈを挟んでその両側に、長手方向に沿って細長い開口１１ｇを形成している。
【００４５】
このように、開口１１ｇを設けることにより、後述するように雄型金具を鋳造によって作製した場合に、表面積が大きくなるため強度を高めることができ、それにバネ性を高めることができる。
物品を鋳造によって製造する場合、溶融した金属を鋳型に注入して固化させるが、その際に表面から固化が進むため、表面に近い部分程強度が高く粘りもある。そのため、表面積を大きくすることによって、強度及びバネ性を高めることができる。
【００４６】
なお、この細長い開口１１ｇを挿入部１１の第２の部分１１ｃに設けることは必須ではなく、対向する第１の部分１１ｂに設けてもよい。また、開口１１ｇの数は２本に限らず、幅方向の中央部に１本、あるいは幅方向に間隔を置いて３本以上形成してもよい。
また、第２実施例の膨出部１１ｆとこの開口１１ｇとを組み合わせて、挿入部１１の第１、第２の部分１１ｂ、１１ｃの少なくとも一方に設ければ、より望ましい。
【００４７】
〔雄型金具のより好ましい実施例〕
次に、この発明による装身具用留め具における雄型金具のより好ましい実施例を、図１４〜図２２によって説明する。
図１４はその雄型金具の側面図、図１５は平面図、図１６はその雄型金具を図１４における右方から見た図である。これらの図において、図１〜図１３と対応する部分には同一の符号を付しており、それらの説明は省略する。なお、この実施例においても、雌型金具は前述した各実施例の雌型金具２０を共通に使用できる。
【００４８】
この図１４〜図１６に示す雄型金具１０″は、図１４に明示するように、挿入部１１のバネとして可動する第２の部分１１ｃの第１の部分１１ｂと対向する面（下面）に、図１０〜図１２に示した第２実施例と同様に、第１の部分１１ｂに向かって曲面状に膨らんだ膨出部１１ｆを設けている。図１４〜図１６は、第２の部分１１ｃを第１の部分１１ｂに対して膨出部１１ｆが当接するまで、そのバネ力に抗して押さえ込んだ状態を示している。
【００４９】
図１４に示すＡは、この雄型金具１０″のリング状の係着部１３を除く全長であり、Ｂは挿入部１１の長さによるバネ性有効長である。そして、挿入部１１の先端から膨出部１１ｆの最も膨らんだ点までの距離Ｃが、バネ性有効長Ｂの１０％〜２０％程度になるようにするとよい。
この膨出部１１ｆを設けたことによる効果は前述した第２実施例と同様であるが、図１４に示すように、第２の部分１１ｃの膨出部１１ｆから後方の下面を凹曲面１１ｉ形成して、長手方向の中間部の厚さを減じる（薄くする）ことによって、一層バネ性を高めている。
【００５０】
また、この雄型金具１０″の挿入部１１の第２の部分１１ｃには、図１３に示した例と同様に、図１５に示す幅方向の中央部１１ｈを挟んでその両側に、長手方向に沿って細長い開口１１ｇを形成している。このように細長い開口１１ｇを形成することによって、前述したように、雄型金具を鋳造によって作製した場合に第２の部分１１ｃの表面積が大きくなるため、その強度を高めるとともにバネ性も高めることができる。
【００５１】
さらに、この雄型金具１０″はつまみ部１２にも特徴を有している。そのつまみ部１２は図１６に明示するように、一対のつまみ半部１２ａと１２ｂを合わせた後端面形状（図１４の右側から見た形状）が、つまみ半部１２ａ，１２ｂが互いに接近及び離間する方向を短径Ｄｂとし、それに直交する（間隙１４に沿う）方向を長径Ｄａとする楕円形に形成されている。
【００５２】
すなわち、つまみ部１２を構成する一対のつまみ半部１２ａと１２ｂは、その各後端面（挿入部１１の挿入方向に直交する方向の横断面も）が楕円を長径Ｄａに沿って２分割した半楕円形状であり、その分割面が間隙１４を介して対向している。
図１６に示すように、その楕円の短径Ｄｂは、つまみ半部１２ａの短半径ｒ１とつまみ半部１２ｂの短半径ｒ２の和（Ｄｂ＝ｒ１＋ｒ２＝２・ｒ１＝２・ｒ２）である。そして、Ｄａ：Ｄｂを３：２から２：１程度にするとよい。これによる効果については後述する。
【００５３】
また、このつまみ部１２の各つまみ半部１２ａと１２ｂは、いずれも軸方向（挿入部１１の挿入方向）の両端部が楕円形フランジ状の大径部ｐ，ｑとなり、その間に小径部ｓを有し、その小径部ｓが充分な溝幅を有する溝を形成している。つまみ部１２をこのように形成したことによる効果についても後述する。
ここで、この実施例の雄型金具１０″によるバネ性（弾性力）向上効果について、図１７によって説明する。
【００５４】
図１７の（ａ）は、つまみ部１２を矢示方向に最大限押圧して挿入部１１の間隙１４を完全に閉じた状態を示し、（ｂ）〜（ｄ）はその押圧力を解除することによって、挿入部１１の第１の部分１１ｂと第２の部分１１ｃがそのバネ性すなわち弾性力によって開いていく状態を段階的に示している。
（ｂ）の状態では第２の部分１１ｃの膨出部１１ｆがまだ第１の部分１１ｂに当接しており、その当接点を支点として、第２の部分１１ｃのそれよりつまみ部１２側の部分がそのバネ性によって、図１７で上方へ開くよう復元していく。
【００５５】
（ｃ）の状態では、第２の部分１１ｃの膨出部１１ｆが第１の部分１１ｂから僅かに離れ、以後は第２の部分１１ｃが挿入部１１の先端部を支点として、主に膨出部１１ｆより先端側の部分のバネ性によって開いていく。（ｄ）が完全に開いた状態である。
図１７の（ｄ）の状態から、つまみ部１２を摘んで押圧し、第１の部分１１ｂと第２の部分１１ｃを間隙１４を閉じるように変形させる場合は、上述と逆に（ｃ）（ｂ）（ａ）の順に閉じていく。
【００５６】
このように、この実施例の雄型金具１０″は、挿入部１１の第２の部分１１ｃにその可動範囲の途中で第２の支点となる膨出部１１ｆを設けるとともに、長手方向に沿って細長い開口１１ｇを形成していることと、第２の部分１１ｃの下面を凹曲面１１ｉに形成して長手方向の中間部の厚さを薄くしたことによって、単一金属による鋳造品でも十分なバネ性が得られ、その弾性範囲が広がっている。したがって、挿入部１１の第１の部分１１ｂと第２の部分１１ｃを、図１７に示したように大きなストロークで開閉させることができる。
【００５７】
次に、つまみ部１２を構成するつまみ半部１２ａと１２ｂの各後端面形状（横断面形状も）を、楕円を長径に沿って２分割した半楕円形状にしたことによる効果を、図１８及び図１９によって説明する。
【００５８】
図１８は、雄型金具のつまみ部１２を構成するつまみ半部１２ａと１２ｂの後端面形状が円を２分割した半円形状に形成されている場合に、雌型金具に挿入させて結合している雄型金具（図１２）を引き抜く際の説明図である。間隙１４は小さくなっているため、つまみ部１２全体として略円形で殆ど方向性がなく、指で摘む位置を特定しにくい。しかも、間隙１４を含めると間隙１４に直交する方向にやや長い長円形になっているため、（ａ）に示すように隙間の両側端を押さえるように摘んでしまう可能性が高い。
そうすると、いくら強く摘んでも（ｂ）に示すように、つまみ半部１２ａと１２ｂを間隙１４を閉じるように変形させることができず、雄型金具を雌型金具との係合を外して引き抜くことができない。
【００５９】
この実施例では、雄型金具１０″のつまみ部１２を構成するつまみ半部１２ａと１２ｂの後端面形状（横断面形状も）が、楕円を長径に沿って２分割した半楕円形状に形成されているので、雌型金具から引き抜く際に、図１９に示すようにつまみ部１２全体として方向性がある。そのため、仮に（ａ）に示すように長径の両端を挟むように摘んだとしても、自然に（ｂ）に示すように短径の両端を挟むように回転して摘めるようになる。
【００６０】
したがって、つまみ半部１２ａと１２ｂを間隙１４を閉じるように変形させ、雄型金具を雌型金具との係合を外して引き抜く操作を容易に行うことができる。
ネックレスの留め具は、脱着の際に手を首の後ろに回して操作する。特に取り外す際には見えない状況で手探りで操作するため、このようにつまみ部の形状に方向性を持たせて、自然に操作できるようにするのが望ましい。
【００６１】
さらに、この実施例の雄型金具１０″は、つまみ部１２の各つまみ半部１２ａと１２ｂが、いずれも軸方向の両端部が楕円形フランジ状の大径部ｐ，ｑとなり、その間に小径部ｓを有し、その小径部ｓが充分な溝幅を有する溝を形成していることによる効果について図２０〜図２２によって説明する。
【００６２】
図２０に示す雄型金具１０Ａのつまみ部１２Ａのように、外周面の軸方向形状が単一の凸曲面であると、雄型金具を雌型金具から引き抜く操作をする際に、指が滑って引き抜けない恐れがある。
また、図２１に示す雄型金具１０のつまみ部１２（第１、第２実施例に相当する）のように、外周面の軸方向形状が２つの凸曲面からなるようにすれば、図２０に示した例よりは指が滑りにくくなり、雄型金具を雌型金具から引き抜き易くなる。しかし、雄型金具と雌型金具が強く係合している場合には、やはり指が滑って引き抜けなくなる恐れがある。
【００６３】
この実施例では、雄型金具１０″のつまみ部１２の各つまみ半部１２ａと１２ｂが図２２に示すように形成されているので、つまみ部１２を指で摘んだ際に、各つまみ半部１２ａと１２ｂの小径部ｓによる溝に指先（爪）が入り込み、引き抜く力が大径部ｑに効果的に加わって、雄型金具１０″を容易に引き抜くことができる。
【００６４】
〔雌型金具の変形例〕
次に、雌型金具の変形例を図２３及び図２４によって説明する。図２３及び図２４は、この発明による装身具用留め具における雌型金具の他の異なる例を示す図８と同様な断面図であり、図８と対応する部分には同一の符号を付している。
図２３に示す雌型金具２０′は、内周に開口２３ａとそれに向かって拡開した円錐面状のガイド面２３ｂとを形成し、外周が円筒面状のガイド部２３′を、中空球形の本体２０ａの内面との間に一体に形成した複数本（例えば９０°間隔で４本）の支持部２５によって、挿入孔２１と対向する所定の位置に支持している。
【００６５】
図２４に示す雌型金具２０″は、むくに近い球形の本体２０ｂの挿入孔２１を形成した部分とその周縁部の内側に空洞２２を形成し、その本体２０ｂの内部のむくの部分に、空洞２２への開口２３aとそれに向かって拡開した円錐面状のガイド面２３ｂとを形成し、その部分をガイド部２３″としている。
【００６６】
このようなガイド部によっても、雄型金具の挿入部の挿入をガイドし、所定の挿入位置に保持することができる。なお、ガイド面２３ｂの形状は種々に変更できる。
これらの雌型金具２０′，２０″も、前述した各実施例の雄型金具１０、１０′、１０″のいずれとも組み合わせて使用することができ、それぞれ装身具用留め具を構成することができる。
【００６７】
〔使用例〕
次に、図２５を参照してこの発明による装身具用留め具の使用例について説明する。図２５は、この発明による装身具用留め具によって真珠のネックレスの両端を連結させた状態の一例を示す図である。なお、そのネックレスは留め具を取り付けた両端部付近のみを示している。
【００６８】
多数の真珠３１をワイヤで連接してネックレス３０を形成しており、そのワイヤの一端部３２ａを雌型金具２０の係着部２４に係着し、他端部３２bを雄型金具１０の係着部１３に係着している。
このネックレス３０を着用者が首に掛けて、雌型金具２０に雄型金具１０の挿入部を挿入して連結すれば、無端状にすることができ、その後不用意にその連結が外れるような恐れはない。
【００６９】
ネックレス３０を外す際には、前述したように雄型金具１０のつまみ半部１２aと１２ｂをつまんで押し合わせながら引張れば、雌型金具２０から雄型金具１０を容易に離脱させることができる。
【００７０】
図２５では、雄型金具１０及び雌型金具２０としているが、上述した各実施例や変形例の雄型金具１０′又は１０″や雌型金具２０′又は２０″を使用してもよいことは勿論である。
前述した各実施例の装身具用留め具は、両端部の連結及び離脱が必要な他の各種の装身具にも同様に使用することができる。
【００７１】
〔製造方法その他〕
以上説明した、この発明による装身具用留め具は、雄型金具と雌型金具を、それぞれ１個の部品で構成することができるため、組み付けの必要がなく、製造が容易で形状の自由度も大きい。
【００７２】
この雄型金具と雌型金具の材料としては、人にアレルギー反応を起こさせる等の悪影響を及ぼさない金属材料であれば何を使用してもよいが、貴金属である金、白金（プラチナ）、銀、銅、金合金または銀合金などが、加工性がよく且つ宝玉や貴金属の鎖などとマッチして装身具の高級感を保つことができてよい。特に、１８金や金合金であるホワイトゴールドが最適である。
【００７３】
なお、１８金で雄型金具を作製する場合、一般的な１８金の各金属の成分比率は重量比で、金７５％、銀１５％、銅１０％程度であるが、バネ性を高めるために銀の比率を下げて銅の比率を高め、金７５％、銀１０％、銅１５％程度にしたものを使用するとよい。
【００７４】
また、上述した各実施例の雄型金具及び雌型金具は、いずれも１個の一体形状の部材であるから、鋳造（キャスティング）によって容易に製造できる。鋳造によれば、雄型金具及び雌型金具を、それぞれ上述した金属材料によって一体成形することができるので、生産性が高く、工数を大幅に削減でき、金属材料のロスも少ない。
【００７５】
特に、美術工芸品などの作製に適した消失型鋳造法の一種であるロストワックス製法によれば、比較的複雑な形状の鋳造も可能であるから、上記雄型金具及び雌型金具を作製するのに好適である。
この雄型金具と雌型金具を他の加工方法によって作製することもできる。しかし、例えば、プレス加工などによって雄型金具を作製する場合は、挿入部とつまみ部と係着部を個別にプレス形成した後、それらを一体に固着するなどの工程が必要になる。
【００７６】
また、雌型金具はその外側全体が見えるので、装身具の一部としてその形状や模様等のデザインが重要であるが、鋳造によれば任意の形状に成形することができ、同時に種々の模様を施すこともできる。その外形は球形に限らず、装身具全体の美感に合わせて様々な形状（例えば、立方体や多面体あるいは楕円球形、ハート形、その他任意の形状）に形成することができる。
【００７７】
前述した実施例では、雄型金具１０の挿入部１１の挿入方向に直交する断面（横断面）の形状が全体として略円形であり、雌型金具２０の挿入孔２１も円形なので、両者を連結する際に、挿入孔２１と挿入部１１の周方向の相対角度を意識する必要がなく、容易に両者を連結することができる。
ただし、雄型金具の挿入部の横断面形状は、円形に限るものではなく楕円形や四角形、多角形など他の形状にしてもよい。その場合、雌型金具の挿入孔の形状も、それに合わせた形状にすればよい。
【００７８】
以上、この発明の好ましい実施例及び変形例等について説明してきたが、この発明はこれらに限定されるものではなく、各実施例及び変形例に記載した構成を矛盾しない範囲で適宜組合せたり、変更したり、他の構成を追加したりすることができることは、当業者にとって適宜なし得ることである。
【産業上の利用可能性】
【００７９】
この発明は、真珠や珊瑚、宝石などの宝玉にワイヤを挿通して多数個連接してなる数珠状の装身具、あるいは金、銀、プラチナ等の貴金属製の鎖状装身具、例えばネックレスやブレスレットなどの装身具において、その両端を連結して無端状にするための留め具として好適である。
【符号の説明】
【００８０】
１０，１０′，１０″：雄型金具    １１：挿入部    １１ａ：先端部    
１１ｂ：第１の部分    １１ｃ：第２の部分    １１ｄ：係合段部    １１ｅ：切欠部
１１ｆ：膨出部    １１g：細長い開口    １１ｈ：第２の部分の中央部    
１１ｉ：凹曲面    １２：つまみ部    １２ａ，１２ｂ：つまみ半部    
１３：雄型金具の係着部    １４：間隙
２０，２０′，２０″：雌型金具    ２０ａ，２０ｂ：雌型金具の本体    ２１：挿入孔
２２：空洞    ２３，２３′，２３″：ガイド部    ２３ａ：開口    ２３ｂ：ガイド面
２４：雌型金具の係着部    ２５：支持部    ３０：ネックレス    ３１：真珠
【図１】
0006000517.tif 000002
【図２】
0006000517.tif 000003
【図３】
0006000517.tif 000004
【図４】
0006000517.tif 000005
【図５】
0006000517.tif 000006
【図６】
0006000517.tif 000007
【図７】
0006000517.tif 000008
【図８】
0006000517.tif 000009
【図９】
0006000517.tif 000010
【図１０】
0006000517.tif 000011
【図１１】
0006000517.tif 000012
【図１２】
0006000517.tif 000013
【図１３】
0006000517.tif 000014
【図１４】
0006000517.tif 000015
【図１５】
0006000517.tif 000016
【図１６】
0006000517.tif 000017
【図１７】
0006000517.tif 000018
【図１８】
0006000517.tif 000019
【図１９】
0006000517.tif 000020
【図２０】
0006000517.tif 000021
【図２１】
0006000517.tif 000022
【図２２】
0006000517.tif 000023
【図２３】
0006000517.tif 000024
【図２４】
0006000517.tif 000025
【図２５】
0006000517.tif 000026